(57)【要約】      （修正有）【課題】表示される選択項目の選択における操作性を向上する表示制御装置を提供する。【解決手段】カーソル座標制御部は、所定の選択項目にカーソルを設定した状態で、操作情報取得部からタッチパッドの操作方向を操作情報を取得したとき、表示装置の表示面におけるカーソルＲの位置を基準として、表示面上においてタッチパッドの操作方向と対応する方向にサーチエリアＳ１〜Ｓ４を設定する。そして、カーソル座標制御部は、サーチエリアの中に選択項目Ａ〜Ｆが複数含まれるときには、タッチパッドの操作方向と対応する方向においてカーソルの基準点の位置座標Ｐ１に最も近い選択項目をカーソルの移動先として選択する。【選択図】図４
2018085076.tif 000002
【特許請求の範囲】
【請求項１】
タッチ操作部とは遠隔して配置された表示装置に表示される選択項目の選択を前記タッチ操作部から入力される操作情報に基づき制御する表示制御装置であって、
前記タッチ操作部から前記タッチ操作部の操作方向を前記操作情報として取得する操作情報取得部と、
前記操作情報取得部から取得した前記操作情報に基づき、前記表示装置に表示される前記選択項目の中から選択項目を選択し、当該選択した選択項目に対し、操作の対象を指定するためのカーソルを設定するカーソル座標制御部と、
を備え、
前記カーソル座標制御部は、所定の選択項目に前記カーソルを設定した状態で、前記操作情報取得部から前記操作情報を取得したとき、前記表示装置の表示面における前記カーソルの位置を基準として、前記表示面上において前記操作情報に含まれる前記操作方向と対応する方向に設定されるサーチエリアに前記選択項目が含まれるときには、前記操作方向と対応する方向において前記カーソルの基準点に最も近い位置にある前記選択項目を前記カーソルの移動先となる前記選択項目として選択する
ことを特徴とする表示制御装置。
【請求項２】
前記カーソル座標制御部は、前記操作方向において前記カーソルの基準点に最も近い位置にある前記選択項目が複数であるときには、当該複数の前記選択項目について、前記表示面上において前記操作方向と対応する方向と垂直な方向における前記カーソルの基準点と前記選択項目との前記表示面上の距離を前記選択項目ごとに算出し、当該算出した距離が最も短い位置にある前記選択項目を前記カーソルの移動先となる前記選択項目として選択する
請求項１に記載の表示制御装置。
【請求項３】
前記カーソル座標制御部は、前記表示面上において前記操作方向と対応する方向と垂直な方向における前記カーソルの基準点との距離が最も短い位置にある前記選択項目が複数であるときには、当該複数の選択項目について、前記表示面上において前記操作方向と対応する方向と垂直な方向において前記基準点とは異なる位置に前記カーソルの原点を設定し、前記操作方向と対応する方向と垂直な方向において前記カーソルの原点との前記表示面上の距離が最も短い前記選択項目を前記カーソルの移動先となる前記選択項目として選択する
請求項２に記載の表示制御装置。
【請求項４】
前記表示装置には、前記選択項目の表示エリアが複数に分割して設定されており、
前記カーソル座標制御部は、前記表示装置の表示面における前記カーソルの位置を基準として、前記表示面上において前記操作方向と対応する方向に設定されるサーチエリアが複数の前記表示エリアを跨るときには、これら表示エリアのうち、前記カーソルが位置する側の前記表示エリアを第１の表示エリアとし、前記カーソルが位置しない側の前記表示エリアを第２の表示エリアとしたとき、前記第１の表示エリアに表示される前記選択項目の中に、前記サーチエリアに含まれる前記選択項目が存在しないことを条件に、前記カーソルの位置を前記第１の表示エリアから前記第２の表示エリアに移動させる
請求項１〜３の何れか一項に記載の表示制御装置。
【請求項５】
前記カーソル座標制御部は、前記カーソルの位置を前記第１の表示エリアから前記第２の表示エリアに移動させるとき、前記サーチエリアと前記第２の表示エリアとが重なる領域から前記選択項目の有無を判定し、選択項目が含まれないと判定したときには、前記第２の表示エリアのうち他の領域から前記選択項目の有無を判定する
請求項４に記載の表示制御装置。
【請求項６】
前記カーソル座標制御部は、前記第２の表示エリアにおける前記選択項目の有無の判定を、前記第２の表示エリアを前記操作方向と対応する方向と垂直な方向に複数に分割して設定したエリアごとに行うものであり、前記カーソルの位置を前記第１の表示エリアから前記第２の表示エリアに移動させるとき、前記サーチエリアと前記第２の表示エリアとが重なる領域に対して前記操作方向と対応する方向と垂直な方向において近い位置にあるエリアから順に前記選択項目の有無を判定する
請求項５に記載の表示制御装置。
【請求項７】
前記操作情報取得部は、前記タッチ操作部から第１の方向の操作量と前記第１の方向と交差する第２の方向の操作量とを取得し、各々の方向の操作量のうち、相対的に大きい操作量に対応する方向を前記タッチ操作部の操作方向と対応する方向として前記カーソル座標制御部に出力する
請求項１〜６の何れか一項に記載の表示制御装置。
【発明の詳細な説明】
【技術分野】
【０００１】
本発明は、表示装置に表示される選択項目の選択を制御する表示制御装置に関する。
【背景技術】
【０００２】
従来、車両の乗員が操作しやすい位置にあるタッチパッドの操作を通じて、例えばナビゲーション装置のディスプレイ等の表示装置に表示される選択項目の選択を遠隔操作で行う操作装置が知られている（例えば、特許文献１参照）。
【０００３】
この装置は、動作モードとして、絶対座標モードと相対座標モードとを有している。絶対座標モードとは、表示装置の表示面の座標系とタッチパッドの操作面の座標系とが絶対的に同期する動作モードであり、タッチパッドの操作位置と表示装置に表示されるカーソルの位置とが一致する。その一方で、相対座標モードとは、表示装置の画面の座標系とタッチパッドの画面の座標系とが相対的に同期する動作モードであり、タッチパッドの操作位置と表示装置に表示されるカーソルの位置とが必ずしも一致せず、タッチパッドの操作量に応じて表示装置に表示されるカーソルの移動量が規定される。
【０００４】
そして、表示装置に表示されるカーソルの位置が何れの項目の位置とも一致しない状態では、上述した絶対座標モードで動作する。これにより、車両の乗員はタッチパッドの操作を通じて所望の選択項目を直感的に選択することができる。その一方で、表示装置に表示されるカーソルの位置が特定の選択項目の位置と一致するときには、上述した相対座標モードで動作する。この場合、車両の乗員は、一度タッチパッドの操作面から一旦指を離し、操作面の別の位置から操作を再開しても、指を離す前のカーソルの位置にあった選択項目が最初の操作対象として選択される。そのため、車両の乗員は、タッチパッドの操作面の任意の位置を連続してタッチ操作することにより、カーソルの位置にある同一の選択項目を連続して選択することができる。
【先行技術文献】
【特許文献】
【０００５】
【特許文献１】国際公開第２０１３／８８５５９号
【発明の概要】
【発明が解決しようとする課題】
【０００６】
しかしながら、上記文献に記載の装置では、絶対座標モード及び相対座標モードの何れであっても、選択項目の選択を行うときには、カーソルの位置が選択の対象となる選択項目の位置と一致するように、タッチパッドの操作位置もしくは操作量を調整する必要がある。そのため、特に車両の走行時に運転者がタッチパッドの操作を行うときには、その操作性の向上が求められている。
【０００７】
本発明は、このような実情に鑑みてなされたものであり、その目的は、表示装置に表示される選択項目の選択に関する操作性を向上することのできる表示制御装置を提供することにある。
【課題を解決するための手段】
【０００８】
上記課題を解決する表示制御装置は、タッチ操作部とは遠隔して配置された表示装置に表示される選択項目の選択を前記タッチ操作部から入力される操作情報に基づき制御する表示制御装置であって、前記タッチ操作部から前記タッチ操作部の操作方向を前記操作情報として取得する操作情報取得部と、前記操作情報取得部から取得した前記操作情報に基づき、前記表示装置に表示される前記選択項目の中から選択項目を選択し、当該選択した選択項目に対し、操作の対象を指定するためのカーソルを設定するカーソル座標制御部と、を備え、前記カーソル座標制御部は、所定の選択項目に前記カーソルを設定した状態で、前記操作情報取得部から前記操作情報を取得したとき、前記表示装置の表示面における前記カーソルの位置を基準として、前記表示面上において前記操作情報に含まれる前記操作方向と対応する方向に設定されるサーチエリアに前記選択項目が含まれるときには、前記操作方向と対応する方向において前記カーソルの基準点に最も近い位置にある前記選択項目を前記カーソルの移動先となる前記選択項目として選択する。
【０００９】
上記構成によれば、タッチ操作部の操作を通じて表示装置に表示されるカーソルの位置を移動させるとき、表示装置の表示面上においてタッチ操作部の操作方向と対応する方向と表示装置に表示される各々の選択項目の位置関係とに基づき、カーソルの移動先となる選択項目が選択される。そのため、カーソルの移動先となる選択項目を選択するうえでタッチ操作部の操作量を調整することが不要となる。これにより、タッチ操作部の操作を通じてカーソルの移動先となる選択項目を選択する際の操作性を向上させることが可能となる。
【００１０】
上記表示制御装置において、前記カーソル座標制御部は、前記操作方向において前記カーソルの基準点に最も近い位置にある前記選択項目が複数であるときには、当該複数の前記選択項目について、前記表示面上において前記操作方向と対応する方向と垂直な方向における前記カーソルの基準点と前記選択項目との前記表示面上の距離を前記選択項目ごとに算出し、当該算出した距離が最も短い位置にある前記選択項目を前記カーソルの移動先となる前記選択項目として選択することが好ましい。
【００１１】
上記構成によれば、表示装置の表示面上においてタッチ操作部の操作方向と対応する方向を基準としたときに、カーソルの移動先となる選択項目の候補が複数あるときであっても、同方向と垂直な方向における選択項目の位置関係に基づき、それら複数の選択項目の中からカーソルの移動先となる選択項目を選択することができる。
【００１２】
上記表示制御装置において、前記カーソル座標制御部は、前記表示面上において前記操作方向と対応する方向と垂直な方向における前記カーソルの基準点との距離が最も短い位置にある前記選択項目が複数であるときには、当該複数の選択項目について、前記表示面上において前記操作方向と対応する方向と垂直な方向において前記基準点とは異なる位置に前記カーソルの原点を設定し、前記操作方向と対応する方向と垂直な方向において前記カーソルの原点との前記表示面上の距離が最も短い前記選択項目を前記カーソルの移動先となる前記選択項目として選択することが好ましい。
【００１３】
上記構成によれば、表示装置の表示面上においてタッチ操作部の操作方向と対応する方向だけでなく同方向と垂直な方向における選択項目の位置関係まで考慮したとき、カーソルの移動先となる選択項目の候補が複数あるときであっても、カーソルの原点と選択項目との位置関係に基づき、それら複数の選択項目の中からカーソルの移動先となる選択項目を選択することができる。
【００１４】
上記表示制御装置において、前記表示装置には、前記選択項目の表示エリアが複数に分割して設定されており、前記カーソル座標制御部は、前記表示装置の表示面における前記カーソルの位置を基準として、前記表示面上において前記操作方向と対応する方向に設定されるサーチエリアが複数の前記表示エリアを跨るときには、これら表示エリアのうち、前記カーソルが位置する側の前記表示エリアを第１の表示エリアとし、前記カーソルが位置しない側の前記表示エリアを第２の表示エリアとしたとき、前記第１の表示エリアに表示される前記選択項目の中に、前記サーチエリアに含まれる前記選択項目が存在しないことを条件に、前記カーソルの位置を前記第１の表示エリアから前記第２の表示エリアに移動させることが好ましい。
【００１５】
上記構成によれば、カーソルを基準としてタッチ操作部の操作方向と対応する方向に設定されるサーチエリアが複数の表示エリアを跨るときに、操作者の意図に反してカーソルの位置が表示エリアを跨いで移動してしまうことを抑制できる。
【００１６】
上記表示制御装置において、前記カーソル座標制御部は、前記カーソルの位置を前記第１の表示エリアから前記第２の表示エリアに移動させるとき、前記サーチエリアと前記第２の表示エリアとが重なる領域から前記選択項目の有無を判定し、選択項目が含まれないと判定したときには、前記第２の表示エリアのうち他の領域から前記選択項目の有無を判定することが好ましい。
【００１７】
上記構成によれば、カーソルの位置が表示エリアを跨いで移動するとき、移動前の表示エリアにおけるカーソルの位置と、移動後の表示エリアにおける操作者の意図する選択項目の位置とが、タッチ操作部の操作方向と対応する方向と垂直な方向において若干位置がずれていたとしても、カーソルの位置が操作者の意図する選択項目を飛び越える、いわゆるカーソル飛びと呼ばれる現象が生じにくい。これにより、表示装置に表示される選択項目のレイアウトの自由度を高めつつ、タッチ操作部の操作を通じてカーソルの移動先となる選択項目を選択する際の操作性を向上させることが可能となる。
【００１８】
上記表示制御装置において、前記カーソル座標制御部は、前記第２の表示エリアにおける前記選択項目の有無の判定を、前記第２の表示エリアを前記操作方向と対応する方向と垂直な方向に複数に分割して設定したエリアごとに行うものであり、前記カーソルの位置を前記第１の表示エリアから前記第２の表示エリアに移動させるとき、前記サーチエリアと前記第２の表示エリアとが重なる領域に対して前記操作方向と対応する方向と垂直な方向において近い位置にあるエリアから順に前記選択項目の有無を判定することが好ましい。
【００１９】
上記構成によれば、カーソルの位置が表示エリアを跨いで移動するとき、移動後の表示エリアにおける選択項目の選択を、操作者の意図に即している可能性の高いエリアから順に行うことが可能となる。
【００２０】
上記表示制御装置において、前記操作情報取得部は、前記タッチ操作部から第１の方向の操作量と前記第１の方向と交差する第２の方向の操作量とを取得し、各々の方向の操作量のうち、相対的に大きい操作量に対応する方向を前記タッチ操作部の操作方向と対応する方向として前記カーソル座標制御部に出力することが好ましい。
【００２１】
上記構成によれば、タッチ操作部を通じた操作が若干ぶれたとしても、表示装置の表示面上においてタッチ操作部の操作方向と対応する方向としてカーソル座標制御部に出力される方向に制限が加わるため、操作者は、表示装置に表示されるカーソルの移動を直感的に行うことが可能となる。
【００２２】
また、上記構成は、カーソルの位置が第１の表示エリアから第２の表示エリアに移動するとき、第２の表示エリアのうち、サーチエリアと第２の表示エリアとが重なる領域以外の他の領域からも選択項目の有無を判定する構成と組み合わせるのが特に好適である。これら構成の組み合わせによれば、表示装置の表示面上においてタッチ操作部の操作方向と対応する方向としてカーソル座標制御部に出力される方向に制限を加えたとしても、表示装置を複数の表示エリアに分割したときにカーソルが移動後の表示エリアにおける操作者の意図する選択項目を飛び越える、いわゆるカーソル飛びと呼ばれる現象が生じにくい。そのため、表示装置に表示される選択項目のレイアウトの自由度を高めつつ、表示装置に表示されるカーソルの移動を直感的に行うことが可能となる。
【図面の簡単な説明】
【００２３】
【図１】表示制御装置の第１の実施の形態の概略構成を示すブロック図。
【図２】同実施の形態の表示制御装置が実行するタッチパッドと表示装置との間での同期動作の一例を示す模式図。
【図３】タッチパッドの操作方向を補正する過程を説明するための模式図。
【図４】（ａ）は、カーソルの位置を基準としたサーチエリアの位置関係を説明するための模式図、（ｂ）〜（ｄ）は、サーチエリアに複数の選択項目が含まれるときの項目選択処理の概要を説明するための模式図。
【図５】同実施の形態の表示制御装置が実行する項目選択処理の処理内容を示すフローチャート。
【図６】（ａ）は、比較例の表示制御装置が実行するタッチパッドと表示装置との間での同期動作の一例を示す模式図、（ｂ）は、同実施の形態の表示制御装置が実行するタッチパッドと表示装置との間での同期動作の一例を示す模式図。
【図７】（ａ）は、表示制御装置の第２の実施の形態による選択項目の表示エリアの設定態様の一例を示す模式図、（ｂ）は、図７（ａ）に示す表示エリアの設定態様において、各エリアごとのサーチの順序の一例を説明するための模式図。
【図８】（ａ）、（ｂ）は、同実施の形態の表示制御装置が表示装置に表示された選択項目の間でカーソルを移動させる過程の一例を示す模式図。
【図９】（ａ）は、比較例の表示制御装置が表示装置に表示された選択項目の間でカーソルを移動させる過程の一例を示す模式図、（ｂ）は、同実施の形態の表示制御装置が表示装置に表示された選択項目の間でカーソルを移動させる過程の一例を示す模式図。
【発明を実施するための形態】
【００２４】
（第１の実施の形態）
以下、表示制御装置の第１の実施の形態について説明する。
本実施の形態の表示制御装置は、車両の乗員が操作しやすい位置にあるタッチパッドが操作されたときに、その操作位置や操作方向を含む操作情報に応じて表示装置に表示される選択項目の選択を制御する装置である。
【００２５】
具体的には、図１に示すように、タッチパッド１００は、車両の乗員によるタッチ操作を検知する操作情報検知部１１０を有している。操作情報検知部１１０は、例えば静電センサからなり、タッチパッド１００の操作面の各位置ごとに帯電される電荷量を監視している。ここで、タッチパッド１００の操作面のうち、車両の乗員の指が接触した面部位に帯電される電荷量は、他の面部位と比較して大きくなる。そのため、操作情報検知部１１０は、タッチパッド１００の操作面のうち、電荷の変化量が所定の閾値以上となる位置座標を、タッチパッド１００の操作面のうち車両の乗員の指が触れている面部位の位置座標として算出する。このとき、操作情報検知部１１０は、車両の乗員がタッチパッド１００の操作面に触れた時点での位置座標を操作開始の位置座標として算出するとともに、車両の乗員がタッチパッド１００の操作面上で指をスライドさせた後に操作面から離間させた時点での位置座標を操作終了の位置座標として算出する。そして、操作情報検知部１１０は、操作開始の位置座標を起点として操作終了の位置座標に向かうベクトルの方向を、車両の乗員によるタッチパッド１００の操作方向として算出する。
【００２６】
表示制御装置２００は、タッチパッド１００の操作情報検知部１１０から入力されるタッチパッド１００の操作位置及び操作方向に関する情報を操作情報として操作情報取得部２１０を通じて取得する。そして、操作情報取得部２１０は、タッチパッド１００から取得した操作情報に基づき、タッチパッド１００の操作位置の位置座標を表示装置３００の表示面における座標系に座標変換する。
【００２７】
図２に示す例では、タッチパッド１００の操作開始の位置座標が（ｘ１，ｙ１）であり、タッチパッド１００の操作終了の位置座標が（ｘ２，ｙ２）である。このとき、操作情報取得部２１０は、タッチパッド１００の操作開始の位置座標（ｘ１，ｙ１）に対応する表示装置３００の表示面における座標系の位置座標として（Ｘ１，Ｙ１）を算出する。また同様に、操作情報取得部２１０は、タッチパッド１００の操作終了の位置座標（ｘ２，ｙ２）に対応する表示装置３００の表示面における座標系の位置座標として（Ｘ２，Ｙ２）を算出する。
【００２８】
このとき、操作情報取得部２１０は、タッチパッド１００の操作面の座標系と表示装置３００の表示面の座標系とが絶対的に同期する動作モードである、いわゆる絶対座標モードにより、タッチパッド１００の操作位置の座標変換を行うようにしてもよい。また、操作情報取得部２１０は、タッチパッド１００の操作面の座標系と表示装置３００の表示面の座標系とが相対的に同期する動作モードである、いわゆる相対座標モードにより、タッチパッド１００の操作位置の座標変換を行うようにしてもよい。
【００２９】
また、図３に示すように、操作情報取得部２１０は、タッチパッド１００の操作方向が斜めに傾斜しているときには、座標変換後の位置座標の間を結ぶベクトルを上下方向の成分と左右方向の成分とに分離する。そして、操作情報取得部２１０は、各々の方向の成分の大きさを比較して、相対的に大きい成分に対応する方向をタッチパッド１００の操作方向として補正するとともに、相対的に大きい成分をタッチパッド１００の操作量として補正する。同図に示す例では、タッチパッド１００の操作開始の位置座標に対応する座標変換後の位置座標が（Ｘ１，Ｙ１）であって、タッチパッド１００の操作終了の位置座標に対応する座標変換後の位置座標が（Ｘ２，Ｙ２）である。このとき、位置座標（Ｘ１，Ｙ１）を起点として位置座標（Ｘ２，Ｙ２）に向かうベクトルにあっては、上下方向の成分Ｌ１（＝｜Ｙ２−Ｙ１｜）よりも左右方向の成分（＝｜Ｘ２−Ｘ１｜）の方が大きい。これにより、操作情報取得部２１０は、タッチパッド１００の操作方向を右方向の移動として補正するとともに、タッチパッド１００の操作量を、上述した左右方向の成分（＝｜ｘ２−ｘ１｜）として補正する。
【００３０】
また、操作情報取得部２１０は、上述のようにして座標変換したタッチパッド１００の操作位置の位置座標をカーソル座標制御部２２０に出力する。
カーソル座標制御部２２０は、表示装置３００に表示される選択項目の位置及びサイズに関する情報を把握している。なお、選択項目は、表示装置３００の表示面上で実現される仮想的な操作ボタンであり、例えば、ナビゲーション装置の各種設定を行うための操作ボタン、空調装置の各種設定を行うための操作ボタン、及び、オーディオやテレビの各種設定を行うための操作ボタン等が一例として挙げられる。そして、カーソル座標制御部２２０は、表示装置３００の表示面上において操作の対象を指定するためのカーソルが未設定であるときには、操作情報取得部２１０から入力される座標変換後のタッチパッド１００の操作終了の位置座標と、表示装置３００に表示される選択項目の位置及びサイズとを参照して、タッチパッド１００の操作終了の位置座標に対応する選択項目を判定する。また、カーソル座標制御部２２０は、その判定した選択項目に対してカーソルを設定する。このカーソルは、表示装置３００に表示される選択項目の画像の外縁に沿った形状を有している。また、カーソル座標制御部２２０は、例えばカーソルの中心位置等、カーソル内の所定の位置を基準点として設定する。また、カーソル座標制御部２２０は、操作情報取得部２１０から入力されるタッチパッド１００の操作方向に基づき、表示装置３００に表示されている選択項目の中からカーソルの移動先となる選択項目を選択する。
【００３１】
より詳細には、図４（ａ）に示すように、カーソル座標制御部２２０は、カーソルＲから見て上下左右の四方向に隣り合う位置に、上側サーチエリアＳ１、下側サーチエリアＳ２、左側サーチエリアＳ３、右側サーチエリアＳ４をそれぞれ設定する。なお、同図に示す例では、各々のサーチエリアＳ１〜Ｓ４は、カーソルＲと同一の形状である矩形状をなしており、その面積も等しい。そして、カーソル座標制御部２２０は、操作情報取得部２１０から入力されるタッチパッド１００の操作方向に応じて、各対応する方向に位置するサーチエリアＳ１〜Ｓ４に選択項目が含まれるか否かを判定する。このとき、カーソル座標制御部２２０は、判定の対象となっているサーチエリアＳ１〜Ｓ４の中に、選択項目の全体が含まれるときだけでなく、選択項目の一部のみが含まれるときにも、サーチエリアＳ１〜Ｓ４に選択項目が含まれているものとして判定する。そして、カーソル座標制御部２２０は、判定の対象としているサーチエリアＳ１〜Ｓ４の中に選択項目が含まれないときには、タッチパッド１００の操作方向においてサーチエリアに隣り合うエリアを新たなサーチエリアとして切り替えた上で、選択項目の有無を判定する。そして以降、カーソル座標制御部２２０は、表示装置３００の表示面にスペースがある限りは、サーチエリアの切り替えと選択項目の有無の判定を繰り返す。また、カーソル座標制御部２２０は、判定の対象としているサーチエリアの中に選択項目が一つだけ含まれるときには、当該選択項目をカーソルＲの移動先となる選択項目として選択する。その一方で、カーソル座標制御部２２０は、判定の対象としているサーチエリアの中に選択項目が複数含まれるときには、当該複数の選択項目の中から以下の（Ａ）〜（Ｃ）に示す手順に従ってカーソルＲの移動先となる選択項目を選択する。
（Ａ）：タッチパッド１００の操作方向においてカーソルＲの基準点の位置座標に最も近い選択項目を選択。
（Ｂ）：（Ａ）に該当する選択項目が複数あるとき、それら選択項目のうち、タッチパッド１００の操作方向と垂直な方向においてカーソルＲの基準点の位置座標に最も近い選択項目を選択。
（Ｃ）：（Ｂ）に該当する選択項目が複数あるとき、それら選択項目のうち、タッチパッド１００の操作方向と垂直な方向においてカーソルＲの原点の位置座標に最も近い選択項目を選択。
【００３２】
具体的には、図４（ｂ）に示す例では、タッチパッド１００の操作方向が右方向であるときに、右側サーチエリアＳ４に２つの選択項目「Ａ」、「Ｂ」が含まれるものとする。この例では、これら選択項目「Ａ」、「Ｂ」は、タッチパッド１００の操作方向となる左右方向において、カーソルＲの基準点の位置座標Ｐ１との距離が相違する。そのため、カーソル座標制御部２２０は、上述した手順（Ａ）に従い、これら選択項目のうち、タッチパッド１００の操作方向となる左右方向においてカーソルＲの基準点の位置座標Ｐ１との距離が相対的に小さい選択項目「Ａ」をカーソルＲの移動先として選択する。
【００３３】
また、図４（ｃ）に示す例でも、同じくタッチパッド１００の操作方向が右方向であるときに、右側サーチエリアＳ４に２つの選択項目「Ｃ」、「Ｄ」が含まれるものとする。この例では、これら選択項目「Ｃ」、「Ｄ」は、タッチパッド１００の操作方向となる左右方向において、カーソルＲの基準点の位置座標Ｐ１との距離が同一である。そのため、カーソル座標制御部２２０は、上述した手順（Ｂ）に従い、これら選択項目「Ｃ」、「Ｄ」のうち、タッチパッド１００の操作方向と垂直な方向においてカーソルＲの基準点の位置座標Ｐ１との距離が相対的に小さい選択項目「Ｄ」をカーソルＲの移動先として選択する。
【００３４】
また、図４（ｄ）に示す例でも、同じくタッチパッド１００の操作方向が右方向であるときに、右側サーチエリアＳ４に２つの選択項目「Ｅ」、「Ｆ」が含まれるものとする。この例では、これら選択項目「Ｅ」、「Ｆ」は、タッチパッド１００の操作方向となる左右方向において、カーソルＲの基準点の位置座標Ｐ１との距離が同一である。また、これら選択項目「Ｅ」、「Ｆ」は、タッチパッド１００の操作方向と垂直な方向においても、カーソルＲの基準点の位置座標Ｐ１との距離が同一である。そのため、カーソル座標制御部２２０は、上述した手順（Ｃ）に従い、これら選択項目「Ｅ」、「Ｆ」のうち、タッチパッド１００の操作方向と垂直な方向においてカーソルＲの左上隅部に設定されたカーソルＲの原点の位置座標Ｐ２との距離が相対的に小さい選択項目「Ｅ」をカーソルＲの移動先として選択する。
【００３５】
そして、表示制御装置２００は、例えば、カーソルＲにより所定の選択項目が選択された状態で、タッチパッド１００の操作面上で車両の乗員による押圧動作等、選択項目の決定動作が行われたことをもって、選択項目が示す車両の操作を実行する。
【００３６】
次に、上記実施の形態の表示制御装置２００が実行する項目選択処理について、その具体的な処理手順を説明する。
図５に示すように、表示制御装置２００はまず、タッチパッド１００からタッチパッド１００の操作位置及び操作方向を含む操作情報を操作情報取得部２１０を通じて取得する（ステップＳ１０）。
【００３７】
また、表示制御装置２００は、表示装置３００に表示されている選択項目にカーソルが未設定であるときには（ステップＳ１１＝ＹＥＳ）、表示装置３００に表示されている選択項目のうち、先のステップＳ１０において取得したタッチパッド１００の操作位置に対応する選択項目に対し、カーソル座標制御部２２０を通じてカーソルを設定する（ステップＳ１２）。一方、表示制御装置２００は、表示装置３００に表示されている選択項目のうち、所定の選択項目にカーソルが設定されているときには（ステップＳ１１＝ＮＯ）、ステップＳ１２の処理を経ることなく、その処理をステップＳ１３に移行する。
【００３８】
そして次に、表示制御装置２００は、先のステップＳ１０において取得したタッチパッド１００の操作方向に基づき、カーソルを基準としたサーチエリアをカーソル座標制御部２２０を通じて設定する（ステップＳ１３）。
【００３９】
そして次に、表示制御装置２００は、先のステップＳ１３において設定したサーチエリアに選択項目が含まれるか否かをカーソル座標制御部２２０を通じて判定する（ステップＳ１４）。
【００４０】
そして、表示制御装置２００は、サーチエリアに選択項目が含まれないと判定したときには（ステップＳ１４＝ＮＯ）、表示装置３００の表示面内に、現時点のサーチエリアから見てタッチパッド１００の操作方向にスペースがあるか否かをカーソル座標制御部２２０を通じて判定する（ステップＳ１５）。
【００４１】
そして、表示制御装置２００は、タッチパッド１００の操作方向にスペースがあると判定したときには（ステップＳ１５＝ＹＥＳ）、タッチパッド１００の操作方向にサーチエリアを移動した上で（ステップＳ１６）、その処理をステップＳ１４に戻す。
【００４２】
そして、表示制御装置２００は、サーチエリアに選択項目が含まれないと判定される間は（ステップＳ１４＝ＮＯ）、先のステップＳ１５〜ステップＳ１６の処理を繰り返す。
そして、表示制御装置２００は、この繰り返しの過程で、タッチパッド１００の操作方向にスペースがないと判定した時点で（ステップＳ１５＝ＮＯ）、図５に示す項目選択処理を終了する。
【００４３】
その一方で、表示制御装置２００は、サーチエリアに選択項目が含まれると判定したときには（ステップＳ１４＝ＹＥＳ）、選択項目の数が複数であるか否かをカーソル座標制御部２２０を通じて判定する（ステップＳ１７）。
【００４４】
その結果、表示制御装置２００は、サーチエリアに含まれる選択項目の数が一つのみであると判定したときには（ステップＳ１７＝ＮＯ）、その選択項目をカーソル座標制御部２２０を通じてカーソルの移動先として選択した上で（ステップＳ１８）、図５に示す項目選択処理を終了する。
【００４５】
その一方で、表示制御装置２００は、サーチエリアに含まれる選択項目の数が複数であると判定したときには（ステップＳ１７＝ＹＥＳ）、それら複数の選択項目について、タッチパッド１００の操作方向におけるカーソルの基準点の位置座標との距離を比較する（ステップＳ１９）。
【００４６】
そして、表示制御装置２００は、先のステップＳ１９において比較の対象とした距離が最も小さい選択項目が一つのみであるときには（ステップＳ２０＝ＹＥＳ）、当該選択項目をカーソルの移動先として選択した上で（ステップＳ２１）、図５に示す項目選択処理を終了する。
【００４７】
その一方で、表示制御装置２００は、先のステップＳ１９において比較の対象とした距離が最も小さい選択項目が複数であるときには（ステップＳ２０＝ＮＯ）、それら複数の選択項目について、タッチパッド１００の操作方向と垂直な方向におけるカーソルの基準点の位置座標との距離を比較する（ステップＳ２２）。
【００４８】
そして、表示制御装置２００は、先のステップＳ２２において比較の対象とした距離が最も小さい選択項目が一つのみであるときには（ステップＳ２３＝ＹＥＳ）、当該選択項目をカーソルの移動先として選択した上で（ステップＳ２４）、図５に示す項目選択処理を終了する。
【００４９】
その一方で、表示制御装置２００は、先のステップＳ２２において比較の対象とした距離が最も小さい選択項目が複数であるときには（ステップＳ２３＝ＮＯ）、それら複数の選択項目について、タッチパッド１００の操作方向と垂直な方向におけるカーソルの原点の位置座標との距離を比較する（ステップＳ２５）。
【００５０】
そして、表示制御装置２００は、先のステップＳ２５において比較の対象とした距離が最も小さい選択項目をカーソルの移動先として選択した上で（ステップＳ２６）、図５に示す項目選択処理を終了する。
【００５１】
次に、本実施の形態の表示制御装置２００の作用について、特に、タッチパッド１００の操作を通じてカーソルＲの移動先となる選択項目を選択する際の作用に着目して以下説明する。なお、以下の図６及び図７に示す説明では、カーソルが設定された選択項目並びにカーソルの移動先の選択項目を互いに異なるハッチングで示すものとする。
【００５２】
図６（ａ）に示すように、従来は、タッチパッド１００の操作を通じてカーソルの移動先となる選択項目の選択を行う際には、カーソルの位置を現在の位置から所望の選択項目Ａに重なる位置まで移動させるように、タッチパッド１００の操作量を調整する必要があった。
【００５３】
すなわち、操作者は、カーソルの位置を所望の選択項目Ａに重ねるためには、現在のカーソルの基準点の位置座標を点（Ｘ１，Ｙ１）とし、移動先の選択項目Ａの中心位置の位置座標を点（Ｘ２，Ｙ２）とするとき、カーソルを右方向に移動させるべくタッチパッド１００を右方向に操作するだけでなく、カーソルの移動量を「｜Ｘ２−Ｘ１｜」とさせるべくタッチパッド１００の操作量を調整する必要がある。
【００５４】
しかしながら、こうしたタッチパッド１００の操作は、必ずしも操作者にとって操作性がよいものとはいえない。特に操作者が車両を運転操作中の運転者であるときには、タッチパッド１００を操作者が精密に操作することは困難となることから、その操作性の向上が特に求められている。
【００５５】
この点、図６（ｂ）に示すように、本実施の形態では、タッチパッド１００の操作を通じてカーソルの移動先となる選択項目Ａの選択を行う際には、カーソルの位置から見た所望の選択項目の相対位置を視認した上で、所望の選択項目Ａに向けてタッチパッド１００の操作方向を入力する。すなわち、同図に示す例では、表示装置３００に表示されている選択項目Ａのうち、カーソルの現在の位置が左下隅部の選択項目Ａにあって、所望の選択項目Ａが右隣の選択項目Ａであるときには、タッチパッド１００を右方向に操作する。このとき、タッチパッド１００の右方向への操作量を、必ずしも左右方向において隣り合う選択項目Ａ同士の距離と対応させる必要はない。そのため、操作者は、表示装置３００に表示されている選択項目Ａの位置関係を視認した上で、現時点でカーソルが設定されている選択項目Ａとカーソルの移動先として想定している選択項目Ａとの相対的な位置関係に基づき、タッチパッド１００の操作方向を規定すればよい。そのため、タッチパッド１００の直感的な操作を通じて、カーソルの移動先となる選択項目Ａを選択することが可能となる。
【００５６】
以上説明したように、上記第１の実施の形態によれば、以下に示す効果を得ることができる。
（１）タッチパッド１００の操作を通じて表示装置３００に表示されるカーソルの位置を移動させるとき、タッチパッド１００の操作方向と表示装置３００に表示される各々の選択項目の位置関係とに基づき、カーソルの移動先となる選択項目が選択される。そのため、カーソルの移動先となる選択項目を選択するうえでタッチパッド１００の操作量を調整することが不要となる。これにより、タッチパッド１００の操作を通じてカーソルの移動先となる選択項目を選択する際の操作性を向上させることが可能となる。
【００５７】
（２）タッチパッド１００の操作が若干ぶれたとしても、タッチパッド１００の操作方向としてカーソル座標制御部２２０に出力される方向に制限が加わるため、操作者は、表示装置３００に表示されるカーソルの移動を直感的に行うことが可能となる。
【００５８】
（第２の実施の形態）
次に、表示制御装置の第２の実施の形態について図面を参照して説明する。なお、第２の実施の形態は、表示装置に選択項目の表示エリアが複数に分割して設定される点が第１の実施の形態と異なる。したがって、以下の説明においては、第１の実施の形態と相違する構成について主に説明し、第１の実施の形態と同一の又は相当する構成については重複する説明を省略する。
【００５９】
図７（ａ）に示すように、本実施の形態では、表示装置３００における選択項目の表示エリアが左右方向に３つに分割して設定されており、各々の表示エリアは、左から順にそれぞれ表示エリアＡ、表示エリアＢ、及び表示エリアＣとなっている。そして、図７（ｂ）に示すように、この例にあって、タッチパッド１００の操作方向が右方向であって、カーソルＲの右側に設定されるサーチエリアＳ４が表示エリアＡと表示エリアＢとの間に跨るとする。このとき、カーソル座標制御部２２０は、サーチエリアＳ４のうち、表示エリアＡと重なる領域に選択項目が含まれないことを条件にエリアＡを設定する。このエリアＡは、表示エリアＢのうち、カーソルＲの右側に設定されるサーチエリアＳ４に対して上下方向に対応する領域であって、表示エリアＢの左右方向の全域に亘って延びている。また、カーソル座標制御部２２０は、表示エリアＢのうち、エリアＡを挟んで上下に位置するその他の領域をエリアＢとして設定する。また、カーソル座標制御部２２０は、表示エリアＢから見て表示エリアＡとは反対側に隣り合う表示エリアＣをエリアＣとして設定する。そして、カーソル座標制御部２２０は、カーソルＲの右側に設定されるサーチエリアＳ４のうち、表示エリアＡと重なる領域に選択項目が含まれないときには、上述したエリアＡ、エリアＢ、及びエリアＣの順に選択項目の有無を判定する。なお、カーソル座標制御部２２０は、各エリアに複数の選択項目が含まれるときには、第１の実施の形態と同様にして、上述した（Ａ）〜（Ｃ）に示す手順に従ってカーソルＲの移動先となる選択項目を選択する。
【００６０】
次に、本実施の形態の表示制御装置２００の作用について、特に、タッチパッド１００の操作を通じてカーソルＲの移動先となる選択項目を選択する際の作用に着目して以下説明する。なお、以下の図８及び図９に示す説明では、カーソルが設定された選択項目並びにカーソルの移動先の選択項目をハッチングで示すものとする。
【００６１】
図８（ａ）及び図８（ｂ）は、表示装置３００に表示される選択項目の配置の一例を示している。同図に示す例では、上下に延びる項目列群が左右方向に並列して３列配置されており、各々の項目列群は、左から順に第１の項目列群Ａ１、第２の項目列群Ａ２、及び第３の項目列群Ａ３となっている。また、この例では、表示装置３００の表示エリアが、第１の項目列群Ａ１に対応する表示エリアＡと、第２の項目列群Ａ２及び第３の項目列群Ａ３に対応する表示エリアＢとに分割して設定されている。そして、第１の項目列群Ａ１と第２の項目列群Ａ２との間には上下に延びる表示エリアの境界線が設定されている。
【００６２】
そして、図８（ａ）に示す例では、第２の項目列群Ａ２の最上段に位置する選択項目にカーソルが設定されている。そして、この状態からタッチパッド１００が右方向に操作されたときには、カーソルの右側に位置する第３の項目列群Ａ３の最上段の選択項目にカーソルの位置が移動する。
【００６３】
また、図８（ｂ）に示す例では、第１の項目列群Ａ１の最上段に位置する選択項目にカーソルが設定されている。そして、この状態からタッチパッド１００が右方向に操作されたときには、カーソルを基準としてタッチパッド１００の操作方向となる右方向に設定されるサーチエリアＳ４が表示エリアＡと第２の表示エリアＢとの間に跨る。このとき、サーチエリアＳ４のうち、第１の表示エリアＡと重なる領域には選択項目が含まれないことから、第２の表示エリアＢのうちサーチエリアＳ４に対して上下方向において対応する領域から選択項目の有無が探索される。その結果、第２の表示エリアＢに表示される選択項目のうち、第２の項目列群Ａ２の最上段の選択項目がカーソルの移動先として選択される。
【００６４】
このように、本実施の形態では、表示装置３００における選択項目の表示エリアが複数に分割して設定されるときであっても、タッチパッド１００の操作を通じて表示エリアを跨るようなカーソルＲの移動を実現することができる。
【００６５】
また、図９（ａ）及び図９（ｂ）は、表示装置３００に表示される選択項目の配置の他の一例を示している。同図に示す例では、上下に延びる項目列群が左右方向に並列して２列配置されており、これら項目列群の間には左右に延びる項目列群が一列配置されている。そして、各々の項目列群は、左から順に第１の項目列群Ａ１α、第２の項目列群Ａ２α、及び第３の項目列群Ａ３αとなっている。また、この例では、第１の項目列群Ａ１αの最下段の項目よりも下方に第２の項目列群Ａ２αが位置している。すなわち、この例では、図８（ａ）及び図８（ｂ）に示した例と比較して、選択項目の配置の自由度が高くなっている。
【００６６】
このとき、図９（ａ）に示す例は、比較例に相当し、第１の実施の形態と同様、表示装置における選択項目の表示エリアは一つのみである。この例では、第１の項目列群Ａ１αの下から二番目に位置する選択項目にカーソルが設定されている。そして、第２の項目列群Ａ２αの左端に位置する選択項目をカーソルの移動先として選択しようとするときには、操作者はタッチパッド１００を右斜め下方に向けて操作する。
【００６７】
しかしながら、タッチパッド１００を右斜め下方に向けて操作したとしても、第１の実施の形態と同様、その操作量を上下方向の成分、及び左右方向の成分に分解して相対的に大きい成分に対応する方向をタッチパッド１００の操作方向として補正する構成にあっては、カーソルの右側に位置する第３の項目列群Ａ３αの選択項目まで所謂カーソル飛びが発生してしまう。すなわち、第１の実施の形態の構成にあって、選択項目の配置の自由度を高くすると、もし仮に現在のカーソルの位置と目的とする選択項目の位置とが近接していたとしても、カーソルの位置を必ずしも簡便に移動させることができるとは限らない。
【００６８】
これに対し、図９（ｂ）に示す例は、本実施の形態に相当し、表示装置３００における選択項目の表示エリアが左右に複数に分割して設定されている。なお、この例では、第１の項目列群Ａ１αが表示エリアＡに対応し、第２の項目列群Ａ２αが表示エリアＢに対応し、第３の項目列群Ａ３αが表示エリアＣに対応している。そして、この例では、同じく現在のカーソルの位置から右斜め下方に近接して位置する第２の項目列群Ａ２αの左端に位置する選択項目を選択するときには、現在のカーソルの位置とカーソルの移動先となる選択項目との左右方向における相対的な位置関係に基づき、タッチパッド１００を直感的に右方向に操作する。これにより、カーソルＲを基準としてタッチパッド１００の操作方向となる右方向に設定されるサーチエリアＳ４が表示エリアＡと表示エリアＢとの間に跨る。このとき、サーチエリアＳ４のうち、表示エリアＡと重なる領域には選択項目が含まれないことから、表示エリアＢの他の領域から選択項目が探索される。そして、表示エリアＢのうち、タッチパッド１００の操作方向となる左右方向においてカーソルの基準点の位置座標に対して最も近接した選択項目であって、上述した第２の項目列群Ａ２αの左端に位置する選択項目が、カーソルの移動先として選択される。
【００６９】
このように、本実施の形態では、表示装置３００における選択項目のレイアウトの自由度を高めたとしても、いわゆるカーソル飛びの発生を抑えつつ、タッチパッド１００の直感的な操作を通じてカーソルの移動先となる選択項目の選択が実現される。
【００７０】
以上説明したように、上記第２の実施の形態によれば、第１の実施の形態の効果に加えて、以下に示す効果を得ることができる。
（３）カーソル座標制御部２２０は、サーチエリアが複数の表示エリアに跨る場合、カーソルが位置する側の表示エリアを第１の表示エリアとし、カーソルが位置しない側の表示エリアを第２の表示エリアとしたとき、第１の表示エリアに表示される選択項目の中に、サーチエリアに含まれる選択項目が存在しないことを条件に、カーソルの位置を第１の表示エリアから第２の表示エリアに移動させる。これにより、カーソルを基準としてタッチパッド１００の操作方向に設定されるサーチエリアが複数の表示エリアを跨るときに、操作者の意図に反してカーソルの位置が表示エリアを跨いで移動してしまうことを抑制できる。
【００７１】
（４）カーソル座標制御部２２０は、カーソルの位置が第１の表示エリアから第２の表示エリアに移動するとき、サーチエリアと第２の表示エリアとが重なる領域から選択項目の有無を判定し、選択項目が含まれないと判定したときには、第２の表示エリアのうち他の領域から選択項目の有無を判定する。そのため、カーソルの位置が表示エリアを跨いで移動するとき、移動前の表示エリアにおけるカーソルの位置と、移動後の表示エリアにおける選択項目の位置とがタッチ操作部の操作方向と垂直な方向において若干位置がずれていたとしても、カーソルが移動後の表示エリアにおける操作者の意図する選択項目を飛び越える、いわゆるカーソル飛びと呼ばれる現象が生じにくい。これにより、表示装置３００に表示される選択項目のレイアウトの自由度を高めつつ、タッチパッド１００の操作を通じてカーソルの移動先となる選択項目を選択する際の操作性を向上させることが可能となる。
【００７２】
（５）カーソル座標制御部２２０は、カーソルの位置が第１の表示エリアから第２の表示エリアに移動するとき、サーチエリアと第２の表示エリアとが重なる領域に対してタッチパッド１００の操作方向と垂直な方向において近い位置にあるエリアから順に選択項目の有無を判定する。これにより、カーソルの位置が表示エリアを跨いで移動するとき、移動後の表示エリアにおける選択項目の選択を、操作者の意図に即している可能性の高いエリアから順に行うことが可能となる。
【００７３】
（６）カーソル座標制御部２２０は、カーソルの位置が第１の表示エリアから第２の表示エリアに移動するとき、第２の表示エリアのうち、サーチエリアと第２の表示エリアとが重なる領域以外の他の領域からも選択項目の有無を判定する。また、操作情報取得部２１０は、タッチパッド１００の操作が若干ぶれたとしても、タッチパッド１００の操作方向としてカーソル座標制御部２２０に出力される方向に制限を加える。そして、これら構成の組み合わせにより、タッチパッド１００の操作方向として入力される方向に制限を加えたとしても、表示装置３００を複数の表示エリアに分割したときにカーソルが移動後の表示エリアにおける操作者の意図する選択項目を飛び越える、いわゆるカーソル飛びと呼ばれる現象が生じにくい。そのため、表示装置３００に表示される選択項目のレイアウトの自由度を高めつつ、表示装置３００に表示されるカーソルの移動を直感的に行うことが可能となる。
【００７４】
（その他の実施の形態）
なお、上記各実施の形態は、以下のような形態にて実施することもできる。
・上記各実施の形態においては、操作情報取得部２１０は、タッチパッド１００から取得した操作量を上下方向の成分と左右方向の成分とに分解するようにした。ただし、タッチパッド１００の操作量を分解する方向の組み合わせは、必ずしも上下方向及び左右方向の組み合わせである必要はなく、タッチパッド１００の操作面に沿う方向であって、且つ、互いに交差する２つの方向であれば、タッチパッド１００の操作量を分解する方向の組み合わせとして採用することは可能である。
【００７５】
・上記各実施の形態においては、操作情報取得部２１０は、タッチパッド１００から取得した操作量を第１の方向の成分と第２の方向成分とに分解し、各々の方向の操作量のうち、相対的に大きい操作量に対応する方向をタッチパッド１００の操作方向として補正するようにした。ただし、操作情報取得部２１０は、こうしたタッチパッド１００の操作方向の補正を行うことなく、タッチパッド１００の操作開始の位置座標を起点として操作終了の位置座標に向かうベクトルの方向を、タッチパッド１００の操作方向としてカーソル座標制御部２２０に出力するようにしてもよい。
【００７６】
・上記第２の実施の形態においては、カーソル座標制御部２２０は、サーチエリアが複数の表示エリアを跨るとき、カーソルが位置しない側の表示エリアである第２の表示エリアを、サーチエリアに対してタッチパッド１００の操作方向と垂直な方向において対応するエリアと、当該エリアから見てタッチパッド１００の操作方向と垂直な方向の両側に位置するエリアとに区分して、これらエリアごとに順を追って選択項目の判定を行うようにした。ただし、カーソル座標制御部２２０は、第２の表示エリアにおけるタッチパッド１００の操作方向と垂直な方向におけるエリアの区分をより一層細かく行うようにしてもよい。この場合、カーソル座標制御部２２０は、第２の表示エリアのうち、サーチエリアに対してタッチパッド１００の操作方向と垂直な方向において対応するエリアを始点として、同方向において近接するエリアから順に選択項目の判定を行うことが好ましい。この構成によれば、第２の表示エリアにおける選択項目の選択を、操作者の意図に即している可能性の高いエリアから順に行うことが可能となる。
【００７７】
・上記第２の実施の形態においては、カーソル座標制御部２２０は、サーチエリアが複数の表示エリアを跨るとき、カーソルが位置しない側の表示エリアである第２の表示エリアのうち、サーチエリアに対してタッチパッド１００の操作方向と垂直な方向において対応するエリアだけでなく、第２の表示エリアのうち他のエリアについても選択項目の判定を行うようにした。これに代えて、カーソル座標制御部２２０は、サーチエリアが複数の表示エリアを跨るとき、第２の表示エリアのうち、サーチエリアに対してタッチパッド１００の操作方向と垂直な方向において対応するエリアについて選択項目が含まれないと判定したときには、第２の表示エリアのうち他のエリアについて選択項目の判定を行うことなく、タッチパッド１００の操作方向において更に隣り合う表示エリアに選択項目の判定対象を移動させるようにしてもよい。
【００７８】
・上記各実施の形態にいては、カーソル座標制御部２２０は、タッチパッド１００の操作方向と垂直な方向においてカーソルＲの基準点の位置座標に最も近い選択項目が複数あるときには、それら選択項目のうち、タッチパッド１００の操作方向と垂直な方向においてカーソルＲの原点の位置座標に最も近い選択項目をカーソルＲの移動先として選択するようにした。これに代えて、カーソル座標制御部２２０は、タッチパッド１００の操作方向と垂直な方向においてカーソルＲの基準点の位置座標に最も近い選択項目が複数あるときには、カーソルＲの基準点から見てタッチパッド１００の操作方向と垂直な方向において予め設定した側（例えば、タッチパッド１００の操作方向が右方向であれば、上側又は下側）に位置する選択項目から順にカーソルＲの移動先として選択するようにしてもよい。
【００７９】
・上記各実施の形態においては、カーソル座標制御部２２０は、タッチパッド１００の操作方向においてカーソルＲの基準点の位置座標に最も近い選択項目が複数あるときには、それら選択項目のうち、タッチパッド１００の操作方向と垂直な方向においてカーソルＲの基準点の位置座標に最も近い選択項目をカーソルＲの移動先として選択するようにした。これに代えて、カーソル座標制御部２２０は、タッチパッド１００の操作方向においてカーソルＲの基準点の位置座標に最も近い選択項目が複数あるときには、カーソルＲの基準点から見てタッチパッド１００の操作方向と垂直な方向において予め設定した側（例えば、タッチパッド１００の操作方向が右方向であれば、上側又は下側）に位置する選択項目から順にカーソルＲの移動先として選択するようにしてもよい。
【００８０】
・上記各実施の形態においては、カーソル座標制御部２２０は、サーチエリアの中に、選択項目の全体が含まれるときだけでなく、選択項目の一部のみが含まれるときにも、サーチエリアに選択項目が含まれているものとして判定するようにした。これに代えて、カーソル座標制御部２２０は、サーチエリアの中に、選択項目の全体が含まれるときに限って、サーチエリアに選択項目が含まれているものとして判定するようにしてもよい。
【００８１】
・上記各実施の形態においては、カーソルの基準点としてカーソルの中心点を適用するようにしたが、カーソル内の点であれば、その他の点をカーソルの基準点として設定することは可能である。また、カーソルの原点についても同様に、カーソル上の点のうち、上述のようにして設定したカーソルの基準点に対し、タッチパッド１００の操作方向と垂直な方向において異なる点であれば、その他の点をカーソルの原点として設定することは可能である。
【００８２】
・上記各実施の形態においては、表示装置３００に表示される選択項目の形状が矩形状である場合を例に挙げて説明した。ただし、選択項目の形状としては、例えば、円形状や多角形状等、その他の形状を採用することも可能である。
【００８３】
・上記各実施の形態においては、特に好適な実施例として、表示制御装置２００が車両に搭載された構成を例に挙げて説明したが、表示制御装置２００を車両以外の用途に適用してもよい。
【符号の説明】
【００８４】
１００…タッチパッド、１１０…操作情報検知部、２００…表示制御装置、２１０…操作情報取得部、２２０…カーソル座標制御部、３００…表示装置、Ａ…選択項目、Ａ１〜Ａ３，Ａ１α〜Ａ３α…項目列群、Ｐ１…位置座標（カーソルの基準点）、Ｐ２…位置座標（カーソルの原点）、Ｒ…カーソル、Ｓ１〜Ｓ４…サーチエリア。
【図１】
2018085076.tif 000003
【図２】
2018085076.tif 000004
【図３】
2018085076.tif 000005
【図４】
2018085076.tif 000006
【図５】
2018085076.tif 000007
【図６】
2018085076.tif 000008
【図７】
2018085076.tif 000009
【図８】
2018085076.tif 000010
【図９】
2018085076.tif 000011